(57)【特許請求の範囲】
【請求項１】
起立背面と水平面と先端起立面とが順に連接されかつ該水平面に複数の穴が設けられた第１水切板と、起立背面と垂下面と水平面と及び先端起立面とが順に連接されかつ該垂下面に複数の穴が設けられた第２水切板とよりなり、前記第１水切板と第２水切板とが上下に配設されて両者間に通路が設けられ、かつ前記第１水切板の起立背面の裏面に第２水切板の起立背面が一体的に接合されて構成されたことを特徴とした多機能水切り。
【請求項２】
前記第２水切板の垂下面に設けられた穴をねずみが通過出来ない寸法の穴にしたことを特徴とした請求項１の多機能水切り。
【請求項３】
前記第１水切板の先端起立面と第２水切板の先端起立面とで形成される通路内に熱膨張性不燃材が設けられて構成されることを特徴とした請求項１或いは請求項２の多機能水切り。
【請求項４】
水平面に複数の穴を有する第１水切板と、垂下面に複数の穴を有する第２水切板とをこれ等の起立背面で相互に連結することによって両者間に通路を形成してなる多機能水切りを、壁体内に空気通路を有する外壁の下端と床下に空気通路を有する建物の基礎との間に介在させて構成されることを特徴とした建物の通気構造。
【発明の詳細な説明】
【０００１】
【発明の属する技術分野】
本発明は多機能水切り及び外壁に於ける通気構造に係り、特に外壁材の下端を支持し得る機能と、床下にねずみが侵入することを防止し得る機能と、外壁及び床下に通気を流通することが出来る機能とを有する多機能水切り及び建物の通気構造に関するものである。
【０００２】
【従来の技術】
従来のこの種の建物外壁の水切り或いは通気構造としては、例えば、特開昭５９−５２０４５号公報、特開平７−２５９２０３号公報及び特開平８−２６０５８６号公報等に示す技術が公知である。
【０００３】
前述の従来の一般的公知技術を図により説明すると、図５及び図６に示す通りである。即ち、図５及び図６に於いて、５１は基礎であり、この基礎５１上に基礎パッキン５２を介して土台５３が載置されており、該基礎５１と土台５３との間には空気通路５４が水平方向に設けられている。
【０００４】
５５は防鼠網であり、その上部は釘５６によって土台５３に固定され、かつその下部は基礎５１上に載置されている。５７は内壁パネルであり、その外方には空気通路５８を介してサイディング材よりなる外壁材５９が設けられている。６０は土台水切りであって、その上部は空気通路５８内に挿入され、釘６１によって内壁パネル５７及び土台５３に固定されている。
【０００５】
前記土台水切り６０は、起立背面６０ａと、傾斜面６０ｂと先端起立面６０ｃとより形成されている。このような構成を有する土台水切り６０を外壁の下方に取り付けた際には、外壁材５９の下端と土台水切り６０との間に前記空気通路５８に連通する通気口５８ａが形成され、かつ土台水切り６０と基礎５１との間には前記空気通路５４に連通する通気口５４ａが形成されている。
【０００６】
【発明が解決しようとする課題】
然るに、前述の従来の技術に於いては、外壁材５９の下端と土台水切り６０との間に、通気口５８ａを形成するための所定の間隙を設けなければならないので、外壁材５９を建物に取付施工する場合には、外壁材５９の下地面に墨で位置出しを施し、その後で墨位置に合わせて外壁材を取り付けなければならないので作業が困難であり、作業性が悪い問題があった。
【０００７】
また、土台５３と基礎５１との間に形成される床下の空気通路５４の入口には、ねずみを侵入させないための防鼠網５５を別に用意し、これを所定位置に取り付けなければならず、作業性が悪い問題があった。防鼠網５５は一般的に塩化ビニール材等で形成されているので、人体に悪影響を及ぼす問題もあった。
【０００８】
更に、前述のように建物の外壁に空気通路５８を設けた構造に於いては、土台水切り６０と外壁材５９の下端との間の通気口５８ａが空気取り入れ口となるので、建物の外側に火災があった場合には、空気通路５８が煙突となり、火災や熱気を上部に導入し、大きな火災になる恐れがある問題もあった。
【０００９】
本発明に係る多機能水切り及び建物の通気構造は、前述の多くの問題点に鑑み開発された全く新しい技術であって、特に第1 水切板と第２水切板との間に通路を形成し、この通路を外壁の空気通路と床下の空気通路とに連通させることによって、前述の従来の多くの問題点を根本的に解決するようにした全く新しい技術を提供するものである。
【００１０】
【課題を解決するための手段】
本発明に係る多機能水切りは、前述の従来の問題点を根本的に改善した全く新しい技術であって、その第１発明の要旨は、起立背面と水平面と先端起立面とが順に連結されかつ該水平面に複数の穴が設けられた第１水切板と、起立背面と垂下面と水平面と及び先端起立面とが順に連結されかつ該垂下面に複数の穴が設けられた第２水切板とよりなり、前記第１水切板と第２水切板とが上下に配設されて両者間に通路が設けられ、かつ前記第１水切板の起立背面の裏面に第２水切板の起立背面が一体的に接合されて構成されたことである。
【００１１】
前述の第１発明に於いては、第１水切板と第２水切板との間に通路を設け、かつ第１水切板と第２水切板との夫々に複数の穴を設けたので、前記通路を外壁に設けられる空気通路と及び床下に設けられる空気通路とに夫々連通させることが出来る。
【００１２】
本発明の多機能水切りの第２発明の要旨は、第２水切板の垂下面に設けられた穴をねずみが通過出来ない寸法の穴にしたことを特徴とした第１発明の多機能水切りである。
【００１３】
前述の第２発明に於いては、第１水切板と第２水切板とに夫々突設される複数の穴の寸法をねずみが通過出来ない寸法にしたので、ねずみが床下等に侵入することを防止出来る。従って、従来のように防鼠網を別に用意し、かつこれを建物の所定位置に取り付ける作業を全く不要とすることが出来る。
【００１４】
本発明の他機能水切の第３発明の要旨は、第１水切板の先端起立面と第２水切板の先端起立面とで形成される通路内に熱膨張性不燃材が設けられて構成されることを特徴とした第１発明或いは第２発明の多機能水切である。
【００１５】
前述の第３発明に於いては、第１水切板と第２水切板とによって形成される通路の所定位置に熱膨張性不燃材を設けて構成したので、火災が発生して火炎や高熱風が前記通路内に侵入した場合には、熱膨張性不燃材が膨張して通路を閉鎖し、火炎や熱気を遮断することが出来る。
【００１６】
本発明に係る建物の通気構造は、前述の従来の問題点を根本的に改善した技術であって、その発明の要旨は、水平面に複数の穴を有する第１水切板と、垂下面に複数の穴を有する第２水切板とをこれ等の起立背面で相互に連絡することによって両者間に通路を形成してなる多機能水切を、壁体内に空気通路を有する外壁の下端と床下に空気通路を有する建物の基礎との間に介在させて構成されることを特徴とした建物の通気構造である。
【００１７】
前述の本発明の通気構造は、それぞれの所定位置に穴が設けられた第１水切板と第２水切板との間に通路を形成した多機能水切りを建物の外壁の下端と基礎との間に介在させたので、多機能水切り内に設けられた通路と、建物の外壁及び床下に設けられた空気通路とを相互に連通することが出来る。
【００１８】
従って、外壁及び床下に夫々設けられた空気通路と多機能水切りの通路とを連通させることによって、該通路を２種類の空気通路の空気取入口とすることが出来る。そのために、外壁材の下端を多機能水切りに当接することが出来る。かつ、従来のような防鼠網を不要とすることが出来る。更に、火災時の空気通路の閉鎖を容易にすることが出来る。
【００１９】
【発明の実施の形態】
図により本発明に係る多機能水切り及び建物の通気構造の一実施例を具体的に説明すると、図１は本発明に係る多機能水切りの斜視図、図２は図１の多機能水切りを用いた建物の通気構造の第１実施例を示す縦断面図、図３はその第２実施例を示す縦断面図、図４（Ａ）、（Ｂ）は多機能水切りの通路を遮断する状態を示す簡略断面説明図である。
【００２０】
図１に於いて、１は本発明に係る多機能水切りであって、第１水切板２と第２水切板３とより形成されている。該第１水切板２は上方に配置され、その下方に配置された第２水切板３との間には所定の上下巾を持った通路４が設けられている。
【００２１】
前記第１水切板２は上方に垂直に起立した起立背面２ａと、ほぼ水平に形成された水平面２ｂと、該水平面２ｂの先端部が下方に垂直に折り曲がった先端起立面２ｃにより形成されている。かつ前記水平面２ｂには複数の丸穴５が巾方面に並列されて設けられている。
【００２２】
また、前記第２水切板３は上方に垂直に起立した起立背面３ａと、この起立背面３ａの下方に垂直に連続して設けられた垂下面３ｂと、ほぼ水平に形成された水平面３ｃと、該水平面３ｃの先端部が下方に垂直に折れ曲がった先端起立面３ｄにより形成されている。かつ前記垂下面３ｂには複数の長穴６が巾方面に並列して設けられている。
【００２３】
前述の実施例に於いては、第１水切板２と第２水切板３とを夫々別々に作成しておき、これらの起立背面２ａ、３ａを相互に積層して連結するようにして多機能水切り１を構成したが、実際の工場での製造に当たっては、ロールホーミング方式により、第１水切板２と第２水切板３とを連続した状態で折曲成形して一体物とし製作することが出来る。
【００２４】
前述の第２水切板３の先端起立面３ｄの通路４に接する面には、熱膨張性不燃材７が取り付けられている。この熱膨張性不燃材７は、通路４を通過する熱風温度が１５０℃〜１７０℃になると、約１０倍に膨張する性質を有している。かつ、加熱温度が８５０℃になっても燃焼或いは融解しない性質を持ったグラファイト系等の物質より構成されている。
【００２５】
前述の構成を有する本発明の多機能水切り１を使用して建物の通気構造を構成するに当たっては、例えば図２に示す如く構成することが出来る。即ち、基礎８上に基礎パッキン９を介して土台１０を設置することによって、基礎８と土台１０との間に床下用の空気通路１１を水平方向に形成する。土台１０の室外面に沿って内壁パネル１２を起立固定する。
【００２６】
次は、前述のように構成された多機能水切り１の第２水切板３の起立背面３ａを内壁パネル１２の側面に当接すると共に、この起立背面３ａに連続して設けられた垂下面３ｂを土台１０と基礎８との間に形成された空気通路１１に面接し、多機能水切り１の通路４と空気通路１１とを垂下面３ｂに設けられた長穴６を介して連通する。
【００２７】
一方で多機能水切り１の第２水切板３の水平面３ｃの一部を基礎８上に当接し、多機能水切り１の先端起立面２ｃ、３ｄを基礎８の外方に突出せしめ、この状態で多機能水切り１の起立背面２ａ、３ａを釘１３で内壁パネル１２と土台１０とに取付固定する。
【００２８】
多機能水切り１の取り付けが完了した後で、外壁材となるサイディング１４の下端を第１水切板２の水平面２ｂ上に当接しながら、サイディング１４を所定の間隔を保って内壁パネル１２に沿って起立して固定し、該サイディング１４と内壁パネル１２との間に空気通路１５を形成する。この空気通路１５は、第１水切板２の水平面２ｂの丸穴５を介して多機能水切り１の通路４と連通することが出来る。
【００２９】
前記実施例に於いては、外壁材にサイディング１４を使用する建物の構成について説明したが、図３に示す如く、外壁材としてモルタル１６を使用することも可能である。図中１７はラス網である。図３のように本発明に係る多機能水切り１を使用した場合には、その第１水切板２の水平面２ｂをモルタル受けとして使用することが出来るので、別部品としてのモルタル受部材を用意して施工する必要がない。
【００３０】
本発明に係る前述の多機能水切り１のように、通路４の所定位置に熱膨張性不燃材７を取り付けた場合には、図４（Ａ）、（Ｂ）に示すように、火災が発生し、多機能水切り１の通路４に流入される熱風が１５０〜１７０℃以上になったときに、この熱膨張性不燃材７が膨張して通路４を即時に閉鎖し、これによって火炎が通路４内に流入してくることを防止することが出来る。
【００３１】
本発明に係る多機能水切り１を使用した場合には、第２水切板３の垂下面３ｂにねずみが通過出来ない寸法を持った長穴６が設けられ、かつこの長穴６を介して多機能水切り１の通路４と、基礎８と土台１０との間に設けられた床下用の空気通路１１とが連通されているので、従来のように別に用意した防鼠網を床下用の空気通路１１の入口に取り付ける必要がない。
【００３２】
【発明の効果】
本発明に係る多機能水切り及び建物の通気構造は、前述のような構成を有するので、次のような多大な効果を有している。
【００３３】
サイディング、モルタル等の外壁材を建物の外壁に建て込む場合に、その外壁材の下端を多機能水切りの受け部によって受けることが出来、外壁材の施工精度を向上させると共に、施工を極めて容易にすることが出来る。
【００３４】
外方に開放された通路を多機能水切り内に設けたので、多機能水切りの所定位置に設けられた穴を介してこの通路と建物の外壁或いは床下に設けられた空気通路とを夫々連通させることが出来る。
【００３５】
本発明に係る多機能水切りにはねずみが侵入しないような寸法の穴を設けたので、これを使用することによって、従来のように床下用空気通路の入口に防鼠網を取り付けることを全く不要とすることが出来る。これによって施工を極めて容易にすることと共に、従来の塩化ビニール製の防鼠網のように人体に悪影響を及ぼすことがない。
【００３６】
通路内の所定位置に熱膨張性不燃材を設けて構成した場合には、この熱膨張性不燃材が火災時に熱膨張して通路を遮閉し、外壁及び床下に設けられた両方の空気通路内に火炎や熱気が侵入することを防止することが出来る。
【図面の簡単な説明】
【図１】本発明に係る多機能水切りの斜視図である。
【図２】図１の多機能水切りを用いた建物の通気構造の第１実施例を示す縦断面図である。
【図３】図１の多機能水切りを用いた建物の通気構造の第２実施例を示す縦断面図である。
【図４】（Ａ）、（Ｂ）は多機能水切りの通路を遮断する状態を示す簡略断面説明図である。
【図５】従来の建物の通気構造を示す要部の簡略斜視説明図である。
【図６】図５の通気構造を示す要部の縦断面説明図である。
【符号の説明】
１    多機能水切り                  ２    第１水切り
３    第２水切り                    ２ａ，３ａ  起立背面
３ｂ  垂下面                        ２ｂ，３ｃ  水平面
２ｃ，３ｄ  先端起立面              ４    通路
５    丸穴                          ６    長穴
７    熱膨張性不燃材                ８    基礎
９    基礎パッキン                  １０  土台
１１，１５  空気通路                １２  内壁パネル
１３  釘                            １４  サイディング
１６  モルタル                      １７  ラス網
５１  基礎                          ５２  基礎パッキン
５３  土台                          ５４，５８  空気通路
５５  防鼠網                        ５６，６１  釘
５７  内壁パネル                    ５９  外壁材
６０  土台水切り
【図１】
0003911083.tif 000002
【図２】
0003911083.tif 000003
【図３】
0003911083.tif 000004
【図４】
0003911083.tif 000005
【図５】
0003911083.tif 000006
【図６】
0003911083.tif 000007